【手続補正書】
【提出日】平成22年9月6日(2010.9.6)
【手続補正１】
【補正対象書類名】特許請求の範囲
【補正対象項目名】全文
【補正方法】変更
【補正の内容】
【特許請求の範囲】
【請求項１】
画像を表示面に表示する表示手段と、
前記表示面に対する所定の操作物体の位置に関する情報を検出する検出手段と、
前記操作物体が前記表示面のいずれの方向から挿入されたかを判定する判定手段と、
前記検出手段による検出結果と、前記判定手段による判定結果とに基づいて、前記表示手段を用いて表示させるユーザインタフェース画像の表示位置を、予め決められた複数の表示位置の中から選択する選択手段と、
前記表示面における、前記選択手段が選択した表示位置に前記ユーザインタフェース画像を表示するように前記表示手段を制御する制御手段と、
を有することを特徴とする画像表示装置。
【請求項２】
前記制御手段は、前記判定手段による判定結果に基づいて、前記ユーザインタフェース画像の表示方向を決定し、前記表示方向で前記ユーザインタフェース画像を表示するように前記表示手段を制御することを特徴とする請求項１記載の画像表示装置。
【請求項３】
前記判定手段は、前記操作物体の位置に関する情報から前記操作物体の移動方向を判定し、前記操作物体の移動方向と前記操作物体の位置とから、前記操作物体がいずれの方向から挿入されたかを判定することを特徴とする請求項１又は請求項２記載の画像表示装置。
【請求項４】
前記選択手段は、前記予め定められた複数の表示位置のうち、前記操作物体の近傍であって、前記操作物体の前記移動方向に離間した位置を選択することを特徴とする請求項３記載の画像表示装置。
【請求項５】
前記選択手段は、前記表示面に表示された画像上に前記操作物体が予め定められた時間以上存在する場合に、前記選択を行うことを特徴とする請求項１乃至請求項４のいずれか１項に記載の画像表示装置。
【請求項６】
前記制御手段は、前記表示面に表示された画像上に前記操作物体があらかじめ定められた時間以上存在する場合に、前記選択手段が選択した表示位置に前記ユーザインタフェース画像を表示するように前記表示手段を制御することを特徴とする請求項１乃至請求項５のいずれか１項に記載の画像表示装置。
【請求項７】
前記ユーザインタフェース画像が表示された前記表示面における、前記検出手段により検出された前記操作物体の位置に関する情報と、前記ユーザインタフェース画像の表示位置とに基づいて、前記操作物体によって選択された操作を検出する操作検出手段を有することを特徴とする請求項１乃至請求項６のいずれか１項に記載の画像表示装置。
【請求項８】
画像を表示面に表示する表示手段と、
前記表示面に対する所定の操作物体の位置に関する情報を検出する検出手段と、
前記操作物体が前記表示面のいずれの方向から挿入されたかを判定する判定手段と、
前記検出手段による検出結果と、前記判定手段による判定結果とに基づいて、前記表示手段を用いて表示させるユーザインタフェース画像の前記表示面における表示位置及び表示方向の少なくとも一方を決定する決定手段と、
前記決定手段が決定した前記表示位置及び表示方向の少なくとも一方に基づいて、前記ユーザインタフェース画像を前記画像とともに前記表示面に表示するよう前記表示手段を制御する制御手段と、
を有することを特徴とする画像表示装置。
【請求項９】
さらに、前記表示手段の表示方向を判定する表示方向判定手段を有し、
前記表示方向判定手段により、前記表示手段が垂直面に対して表示しているものと判定される場合、前記決定手段が、前記操作物体が挿入された方向に関わらず一定の表示方向を決定することを特徴とする請求項８記載の画像表示装置。
【請求項１０】
前記判定手段は、前記操作物体の位置に関する情報から前記操作物体の移動方向を判定し、前記操作物体の移動方向と前記操作物体の位置とから、前記操作物体が挿入された方向を判定することを特徴とする請求項８又は請求項９記載の画像表示装置。
【請求項１１】
前記決定手段は、前記ユーザインタフェース画像の表示位置を、前記操作物体の近傍であって前記操作物体の前記移動方向に離間した位置を前記表示位置として決定することを特徴とする請求項１０記載の画像表示装置。
【請求項１２】
前記決定手段が、前記表示面に表示された画像上に前記操作物体が予め定められた時間以上存在する場合に、前記決定を行うことを特徴とする請求項８乃至請求項１１のいずれか１項に記載の画像表示装置。
【請求項１３】
前記制御手段は、前記表示面に表示された画像上に前記操作物体があらかじめ定められた時間以上存在する場合であって、前記決定手段が表示位置を決定した場合に、前記表示位置に前記ユーザインタフェース画像を表示するよう前記表示手段を制御することを特徴とする請求項８乃至請求項１２のいずれか１項に記載の画像表示装置。
【請求項１４】
前記ユーザインタフェース画像が表示された前記表示面における、前記検出手段により検出された前記操作物体の位置に関する情報と、前記ユーザインタフェース画像の表示位置とに基づいて、前記操作物体によって選択された操作を検出する操作検出手段を有することを特徴とする請求項８乃至請求項１３のいずれか１項に記載の画像表示装置。
【請求項１５】
表示手段を有する画像表示装置の制御方法であって、
前記表示手段により画像を表示面に表示する表示工程と、
検出手段が、前記表示面に対する所定の操作物体の位置に関する情報を検出する検出工程と、
判定手段が、前記操作物体が前記表示面のいずれの方向から挿入されたかを判定する判定工程と、
前記検出工程における検出結果と、前記判定工程における判定結果とに基づいて、選択手段が、前記表示手段を用いて表示させるユーザインタフェース画像の表示位置を、予め決められた複数の表示位置の中から選択する選択工程と、
制御手段が、前記表示面における、前記選択工程により選択された表示位置に前記ユーザインタフェース画像を表示するように前記表示手段を制御する制御工程と、
を有することを特徴とする画像表示装置の制御方法。
【請求項１６】
表示手段を有する画像表示装置の制御方法であって、
前記表示手段により画像を表示面に表示する表示工程と、
検出手段が、前記表示面に対する所定の操作物体の位置に関する情報を検出する検出工程と、
判定手段が、前記操作物体が前記表示面のいずれの方向から挿入されたかを判定する判定工程と、
前記検出工程における検出結果と、前記判定工程における判定結果とに基づいて、決定手段が、前記表示手段を用いて表示させるユーザインタフェース画像の前記表示面における表示位置及び表示方向の少なくとも一方を決定する決定工程と、
前記決定工程で決定された前記表示位置及び表示方向の少なくとも一方に基づいて、制御手段が、前記ユーザインタフェース画像を前記画像とともに前記表示面に表示するよう前記表示手段を制御する制御工程と、を有することを特徴とする画像表示装置の制御方法。
【手続補正２】
【補正対象書類名】明細書
【補正対象項目名】発明の名称
【補正方法】変更
【補正の内容】
【発明の名称】画像表示装置及びその制御方法
【手続補正３】
【補正対象書類名】明細書
【補正対象項目名】０００１
【補正方法】変更
【補正の内容】
【０００１】
本発明は画像を表示する画像表示装置及びその制御方法に関し、特には表示画像を画像表示装置を操作するためのユーザインタフェースとして利用可能な画像表示装置及びその制御方法に関する。
【手続補正４】
【補正対象書類名】明細書
【補正対象項目名】０００８
【補正方法】変更
【補正の内容】
【０００８】
本発明はこのような従来技術の課題に鑑みされたものであり、画像を表示中であっても、容易に操作することができる画像表示装置及びその制御方法を提供することを目的とする。
【手続補正５】
【補正対象書類名】明細書
【補正対象項目名】０００９
【補正方法】変更
【補正の内容】
【０００９】
上述の目的は、画像を表示面に表示する表示手段と、表示面に対する所定の操作物体の位置に関する情報を検出する検出手段と、操作物体が表示面のいずれの方向から挿入されたかを判定する判定手段と、検出手段による検出結果と、判定手段による判定結果とに基づいて、表示手段を用いて表示させるユーザインタフェース画像の表示位置を、予め決められた複数の表示位置の中から選択する選択手段と、表示面における、選択手段が選択した表示位置にユーザインタフェース画像を表示するように表示手段を制御する制御手段と、を有することを特徴とする画像投影装置によって達成される。
また、上述の目的は、画像を表示面に表示する表示手段と、表示面に対する所定の操作物体の位置に関する情報を検出する検出手段と、操作物体が表示面のいずれの方向から挿入されたかを判定する判定手段と、検出手段による検出結果と、判定手段による判定結果とに基づいて、表示手段を用いて表示させるユーザインタフェース画像の表示面における表示位置及び表示方向の少なくとも一方を決定する決定手段と、決定手段が決定した表示位置及び表示方向の少なくとも一方に基づいて、ユーザインタフェース画像を画像とともに表示面に表示するよう表示手段を制御する制御手段と、を有することを特徴とする画像表示装置によっても達成される。
【手続補正６】
【補正対象書類名】明細書
【補正対象項目名】００１０
【補正方法】変更
【補正の内容】
【００１０】
また、上述の目的は、表示手段を有する画像表示装置の制御方法であって、表示手段により画像を表示面に表示する表示工程と、検出手段が、表示面に対する所定の操作物体の位置に関する情報を検出する検出工程と、判定手段が、操作物体が表示面のいずれの方向から挿入されたかを判定する判定工程と、検出工程における検出結果と、判定工程における判定結果とに基づいて、選択手段が、表示手段を用いて表示させるユーザインタフェース画像の表示位置を、予め決められた複数の表示位置の中から選択する選択工程と、制御手段が、表示面における、選択工程により選択された表示位置にユーザインタフェース画像を表示するように表示手段を制御する制御工程と、を有することを特徴とする画像投影装置の制御方法によっても達成される。
また、上述の目的は、表示手段を有する画像表示装置の制御方法であって、表示手段により画像を表示面に表示する表示工程と、検出手段が、表示面に対する所定の操作物体の位置に関する情報を検出する検出工程と、判定手段が、操作物体が表示面のいずれの方向から挿入されたかを判定する判定工程と、前記検出工程における検出結果と、前記判定工程における判定結果とに基づいて、決定手段が、表示手段を用いて表示させるユーザインタフェース画像の表示面における表示位置及び表示方向の少なくとも一方を決定する決定工程と、決定工程で決定された表示位置及び表示方向の少なくとも一方に基づいて、制御手段が、ユーザインタフェース画像を画像とともに表示面に表示するよう表示手段を制御する制御工程と、を有することを特徴とする画像表示装置の制御方法によっても達成される。